(57)【要約】【課題】停電時における消費電力を低減することによって非常電源装置から比較的長時間に亘って電源供給が可能な異常報知システムを提供する。【解決手段】端末装置３は集合住宅の各住戸Ｒ３にそれぞれ設置され、住戸Ｒ３における異常を検知する異常検知センサ５が接続される。センタ装置１は端末装置３とは音声データを伝送可能なデータ伝送線Ｌｒと制御信号を伝送可能な制御線Ｌｓとを介して接続される。端末装置３は異常検知センサ５による異常発生の検知時に制御線Ｌｓを通してセンタ装置１に通知し、センタ装置１は端末装置３から異常発生が通知されると音声データをパケット化してデータ伝送線Ｌｒに送出させる。音声データを受け取った端末装置３は、音声データをアンパケット化し記憶部に格納する。端末装置３では、記憶部に一連のすべての音声データが格納されると音声メッセージに変換して送出する。【選択図】        図１
2004185151.tif 000002
【特許請求の範囲】
【請求項１】
複数の住戸にそれぞれ設置され住戸における異常を検知する異常検知センサを接続した端末装置と、端末装置とは音声データを伝送可能なデータ伝送線と制御信号を伝送可能な制御線とを介して接続されたセンタ装置と、停電時に少なくとも端末装置およびセンタ装置に給電する非常電源装置とを備え、異常検知センサによる異常発生の検知時に端末装置から制御線を介して異常発生がセンタ装置に通知され、異常発生に対応する音声データがセンタ装置から端末装置に転送され端末装置において音声データに対応する音声メッセージが送出される異常報知システムであって、センタ装置は、異常発生に対応する音声データを格納した第１の記憶部と、端末装置から異常発生が通知されると第１の記憶部から音声データを読み出しパケット化してデータ伝送線に送出させる第１の制御部とを備え、端末装置は、異常検知センサによる異常発生の検知時に制御線を通してセンタ装置に通知するともにセンタ装置からデータ伝送線を通して伝送された音声データをアンパケット化する第２の制御部と、停電時において第２の制御部においてアンパケット化された音声データを格納する第２の記憶部と、第２の記憶部に格納された一連のすべての音声データを音声メッセージに変換する音声処理部とを備えることを特徴とする異常報知システム。
【請求項２】
停電時には、前記データ伝送線の伝送速度と前記第２の制御部の処理速度との少なくとも一方を非停電時よりも低下させることを特徴とする請求項１記載の異常報知システム。
【請求項３】
前記端末装置は前記第２の記憶部に格納された音声データに対応する音声メッセージを送出する音声出力手段を備え、停電時には、前記センタ装置から前記データ伝送線を通して音声データが伝送されている間に前記第２の制御部に給電するとともに音声出力手段への給電を停止し、第２の制御部によりアンパケット化された一連のすべての音声データが第２の記憶部に格納された後に第２の制御部への給電を停止するとともに音声出力手段に給電することを特徴とする請求項１記載の異常報知システム。
【請求項４】
前記データ伝送線と前記制御線とにはそれぞれ複数台の中継器が挿入され、停電時には、前記センタ装置は前記端末装置からの異常発生の通知時に当該端末装置との間の経路に挿入されている中継器を除く中継器への給電の停止を指示することを特徴とする請求項１記載の異常報知システム。
【請求項５】
前記第２の制御部は、前記センタ装置から前記データ伝送線を通して伝送された音声データをアンパケット化する主処理部と、前記第２の記憶部から前記音声処理部に音声データを転送するとともに主処理部への給電を制御する副処理部とを備え、停電時には、異常検知センサによる異常発生の検知時に副処理部が主処理部への給電を停止させた後、前記センタ装置が音声データを端末装置に転送する際に制御線を通してセンタ装置が主処理部への給電の再開を指示し、データ伝送線を通してセンタ装置から伝送された音声データのアンパケット化の終了後に主処理部が動作を停止することを特徴とする請求項１記載の異常報知システム。
【請求項６】
複数の住戸にそれぞれ設置され住戸における異常を検知する異常検知センサを接続した端末装置と、端末装置とは音声データを伝送可能なデータ伝送線と制御信号を伝送可能な制御線とを介して接続されたセンタ装置と、停電時に少なくとも端末装置およびセンタ装置に給電する非常電源装置とを備え、異常検知センサによる異常発生の検知時に端末装置から制御線を介して異常発生がセンタ装置に通知され、異常発生に対応する音声データがセンタ装置から端末装置に転送され端末装置において音声データに対応する音声メッセージが送出される異常報知システムであって、センタ装置は、異常発生に対応する音声データを格納した記憶部と、端末装置から異常発生が通知されると記憶部から音声データを読み出す第１の制御部と、端末装置から異常発生が通知されると音声データに対応した音声情報を第１の制御部からデータ伝送線に送出させる経路を形成する第１のスイッチ要素とを備え、端末装置は、異常検知センサによる異常発生の検知時に制御線を通してセンタ装置に通知する第２の制御部と、センタ装置からデータ伝送線を通して伝送された音声情報により音声メッセージを出力させる音声処理部と、異常検知センサによる異常発生の検知時にデータ伝送線を音声処理部に直結する経路を形成する第２のスイッチ要素とを備えることを特徴とする異常報知システム。
【発明の詳細な説明】
【０００１】
【発明の属する技術分野】
本発明は、集合住宅やオフィスビルなどにおいて用いる異常報知システムに関するものである。
【０００２】
【従来の技術】
従来から、集合住宅やオフィスビルにおいては、各住戸あるいは各テナントに端末装置を設置するとともにセンタ装置に信号線を介して端末装置を接続し、火災発生などの異常発生時にはセンタ装置から複数箇所の端末装置に対して一斉放送を行うようにした異常報知システムが用いられている。集合住宅で用いられている異常報知システムの一例を図４に示す。図示例では、管理人室などに設置されるセンタ装置１と、集合住宅のロビーに設置されるロビーインタホン２と、各住戸に設置される端末装置３とが信号線Ｌを介して有線で接続されている。各端末装置３は各住戸の室内に設置され、各住戸ごとに来客と通話するためのドアホン子器４と、各住戸ごとの異常（たとえば火災）の有無を検知する異常検知センサ５とが接続される。端末装置３には非常ボタン（図示せず）も設けられる。
【０００３】
センタ装置１、ロビーインタホン２、端末装置３、ドアホン子器４には音声による通話を可能とするための音声通話装置が設けられる。また、ロビーインタホン２およびドアホン子器４にはテレビカメラが内蔵され、センタ装置１および端末装置３にはテレビカメラにより撮像された画像を表示する表示部が内蔵される。センタ装置１はロビーインタホン２および端末装置３との間で通話可能であり、端末装置３はセンタ装置１のほかロビーインタホン２およびドアホン子器４との間で通話可能になっている。ロビーインタホン２のテレビカメラにより撮像された映像はセンタ装置１あるいは端末装置３の表示部に表示可能であり、ドアホン子器４のテレビカメラにより撮像された映像は端末装置３の表示部に表示可能になっている。さらに、異常検知センサ５や非常ボタンの操作により発生する警報信号は端末装置３からセンタ装置１に転送される。ここに、信号線Ｌは、音声通話の際の音声信号を伝送する音声線Ｌａと、映像表示のための映像信号を伝送する映像線Ｌｂと、警報信号を伝送する警報線Ｌｃと、センタ装置１から端末装置３に対して行う一斉放送専用の一斉放送線Ｌｄとを備える。音声線Ｌａ、映像線Ｌｂ、警報線Ｌｃ、一斉放送線Ｌｄはいずれもペア線であって、信号線Ｌは４対のペア線を備える。
【０００４】
上述のように信号線Ｌとして４対のペア線を用いると、センタ装置１とロビーインタホン２と端末装置３とに信号線Ｌを接続する際に誤結線の可能性が高くなるという問題が生じる。また、一般に４対のペア線を共通のシース内に収納したケーブルは提供されているが、上述した異常報知システムではすでに４対のペア線を用いているから、データ通信のような新たな機能を追加しようとすれば、既設の信号線とは別の配線が必要になり、既設の信号線を用いた機能拡張が困難であるという問題を有している。
【０００５】
これに対して、映像信号を伝送する経路は持たないものの、センタ装置１と端末装置３との間を火災信号などを伝送する多重伝送線と音声メッセージを伝送する音声制御線とにより接続した構成が提案されている（たとえば、特許文献１参照）。
【０００６】
【特許文献１】
特開平１１−２１３２７６号公報（第３頁、図１）
【０００７】
【発明が解決しようとする課題】
特許文献１に記載された技術では、デジタル信号を伝送する多重伝送線を用いているから、信号の多重化によって線数を少なくすることが可能である。また、上記特許文献１には停電時において設備制御機器系への電源のバックアップを行わないことによって火災報知設備系の電源を確保することが記載されている。
【０００８】
しかしながら、停電時において電源を供給する非常電源装置は容量が比較的小さいものであるから、長時間に亘って電力を供給することはできないものであり、さらなる消費電力の低減が要求されている。
【０００９】
本発明は上記事由に鑑みて為されたものであり、その目的は、停電時における消費電力を低減することによって非常電源装置からの電源供給が可能な時間を従来よりも延長した異常報知システムを提供することにある。
【００１０】
【課題を解決するための手段】
請求項１の発明は、複数の住戸にそれぞれ設置され住戸における異常を検知する異常検知センサを接続した端末装置と、端末装置とは音声データを伝送可能なデータ伝送線と制御信号を伝送可能な制御線とを介して接続されたセンタ装置と、停電時に少なくとも端末装置およびセンタ装置に給電する非常電源装置とを備え、異常検知センサによる異常発生の検知時に端末装置から制御線を介して異常発生がセンタ装置に通知され、異常発生に対応する音声データがセンタ装置から端末装置に転送され端末装置において音声データに対応する音声メッセージが送出される異常報知システムであって、センタ装置は、異常発生に対応する音声データを格納した第１の記憶部と、端末装置から異常発生が通知されると第１の記憶部から音声データを読み出しパケット化してデータ伝送線に送出させる第１の制御部とを備え、端末装置は、異常検知センサによる異常発生の検知時に制御線を通してセンタ装置に通知するともにセンタ装置からデータ伝送線を通して伝送された音声データをアンパケット化する第２の制御部と、停電時において第２の制御部においてアンパケット化された音声データを格納する第２の記憶部と、第２の記憶部に格納された一連のすべての音声データを音声メッセージに変換する音声処理部とを備えることを特徴とする。
【００１１】
請求項２の発明では、請求項１の発明において、停電時には、前記データ伝送線の伝送速度と前記第２の制御部の処理速度との少なくとも一方を非停電時よりも低下させることを特徴とする。
【００１２】
請求項３の発明では、請求項１の発明において、前記端末装置は前記第２の記憶部に格納された音声データに対応する音声メッセージを送出する音声出力手段を備え、停電時には、前記センタ装置から前記データ伝送線を通して音声データが伝送されている間に前記第２の制御部に給電するとともに音声出力手段への給電を停止し、第２の制御部によりアンパケット化された一連のすべての音声データが第２の記憶部に格納された後に第２の制御部への給電を停止するとともに音声出力手段に給電することを特徴とする。
【００１３】
請求項４の発明では、請求項１の発明において、前記データ伝送線と前記制御線とにはそれぞれ複数台の中継器が挿入され、停電時には、前記センタ装置は前記端末装置からの異常発生の通知時に当該端末装置との間の経路に挿入されている中継器を除く中継器への給電の停止を指示することを特徴とする。
【００１４】
請求項５の発明では、請求項１の発明において、前記第２の制御部は、前記センタ装置から前記データ伝送線を通して伝送された音声データをアンパケット化する主処理部と、前記第２の記憶部から前記音声処理部に音声データを転送するとともに主処理部への給電を制御する副処理部とを備え、停電時には、異常検知センサによる異常発生の検知時に副処理部が主処理部への給電を停止させた後、前記センタ装置が音声データを端末装置に転送する際に制御線を通してセンタ装置が主処理部への給電の再開を指示し、データ伝送線を通してセンタ装置から伝送された音声データのアンパケット化の終了後に主処理部が動作を停止することを特徴とする。
【００１５】
請求項６の発明は、複数の住戸にそれぞれ設置され住戸における異常を検知する異常検知センサを接続した端末装置と、端末装置とは音声データを伝送可能なデータ伝送線と制御信号を伝送可能な制御線とを介して接続されたセンタ装置と、停電時に少なくとも端末装置およびセンタ装置に給電する非常電源装置とを備え、異常検知センサによる異常発生の検知時に端末装置から制御線を介して異常発生がセンタ装置に通知され、異常発生に対応する音声データがセンタ装置から端末装置に転送され端末装置において音声データに対応する音声メッセージが送出される異常報知システムであって、センタ装置は、異常発生に対応する音声データを格納した記憶部と、端末装置から異常発生が通知されると記憶部から音声データを読み出す第１の制御部と、端末装置から異常発生が通知されると音声データに対応した音声情報を第１の制御部からデータ伝送線に送出させる経路を形成する第１のスイッチ要素とを備え、端末装置は、異常検知センサによる異常発生の検知時に制御線を通してセンタ装置に通知する第２の制御部と、センタ装置からデータ伝送線を通して伝送された音声情報により音声メッセージを出力させる音声処理部と、異常検知センサによる異常発生の検知時にデータ伝送線を音声処理部に直結する経路を形成する第２のスイッチ要素とを備えることを特徴とする。
【００１６】
【発明の実施の形態】
（実施形態１）
本実施形態では集合住宅に用いた例を示す。本実施形態の異常報知システムは、図１に示すように、管理人室Ｒ１に設置したセンタ装置１と、集合住宅のロビーＲ２に設置されたロビーインタホン２と、各住戸Ｒ３に設置された端末装置３とを備える。各端末装置３には各住戸Ｒ３ごとに来客と通話することができるドアホン子器４が接続され、また住戸Ｒ３ごとに火災のような異常を検知する異常検知センサ５が接続される。端末装置３はハンドセットを用いることなくハンズフリーでの通話を可能とするためにマイクロホンおよびスピーカを備えた音声入出力部２３（図２参照）が設けられ、音声入出力部２３とは別に増設スピーカ６が接続可能になっている。
【００１７】
本実施形態では、センタ装置１とロビーインタホン２と端末装置３との間でデータ伝送線Ｌｒおよび制御線Ｌｓを介してデジタル信号を伝送する。データ伝送線Ｌｒはデータ伝送に用いる信号線であって伝送速度が制御線Ｌｓよりも大きく、制御線Ｌｓは制御コマンドを伝送するために用いられる。センタ装置１とロビーインタホン２と端末装置３とはそれぞれデータ伝送線Ｌｒを介してハブ７に接続され、センタ装置１とロビーインタホン２と端末装置３との間のデータ伝送はハブ７を通して行われる。一方、制御線Ｌｓはハブ７を用いずに接続してある。各住戸Ｒ３の端末装置３とハブ７との間には集合住宅の各階ごとに設置した中継器８ａが挿入され、センタ装置１およびロビーインタホン２と各住戸Ｒ３の端末装置３との間を接続する制御線Ｌｓにも集合住宅の各階ごとに設置した中継器８ｂが挿入される。センタ装置１と端末装置３とハブ７と中継器８ａ，８ｂとには非常電源装置９との間で非常電源線Ｌｐが接続され、停電時には非常電源装置９から非常電源線Ｌｐを通して給電されるようにしてある。ただし、ロビーインタホン２には非常電源線Ｌｐは接続されておらず、停電時にはロビーインタホン２は使用できなくなる。
【００１８】
センタ装置１とロビーインタホン２と各端末装置３とにはそれぞれアドレスが設定され、データ伝送線Ｌｒを用いてデータ伝送を行う際にはアドレス付きのパケットを伝送する。データ伝送線Ｌｒを通して伝送可能なデータとしては、音声データと映像データと一斉放送データとがある。これらのデータについては後述する。
【００１９】
センタ装置１は、図２に示すように、データ伝送線Ｌｒを接続するデータ伝送インタフェース１ａと制御線Ｌｓを接続する制御信号インタフェース１ｂとを備える。データ伝送インタフェース１ａと制御信号インタフェース１ｂとはマイクロコンピュータ（以下、「マイコン」と略称する）である制御部１０に接続され、制御部１０によって、データ伝送線Ｌｒを通して伝送されるデータに対する処理および制御線Ｌｓを通して伝送される制御信号に対する処理が行われる。制御部１０には記憶部１１が接続され、記憶部１１には音声データと映像データとアドレスとを格納する領域が設けられている。記憶部１１には停電時においても記憶内容を維持できるようにＥＥＰＲＯＭのような不揮発性メモリを用いる。さらに、制御部１０には、映像処理部１２ａを介して画像表示の可能な表示部１２が接続されるとともに、音声処理部１３ａを介して音声の入出力が可能な音声入出力部１３が接続される。表示部１２には液晶表示器あるいはＣＲＴが用いられる。また、音声入出力部１３はスピーカとマイクロホンとを備える。スピーカおよびマイクロホンは、ハンドセットを用いずにハンズフリーで使用可能となるように配置される。制御部１０にはスイッチ群またはタッチパネルなどからなる操作部１４も接続される。なお、図２に示すように、センタ装置１には一斉放送の際にデータ伝送インタフェース１ａを通さずにデータ伝送線Ｌｒを制御部１０に直結することができるスイッチ要素１５を設けてもよい。センタ装置１の各部の機能については後述する。
【００２０】
一方、端末装置３は、図３に示すように、データ伝送線Ｌｒと制御線Ｌｓとのほかに、ドアホン子器４、異常検知センサ５、増設スピーカ６を外部装置として接続可能であって、データ伝送線Ｌｒを接続するデータ伝送インタフェース３ａ、制御線Ｌｓを接続する制御信号インタフェース３ｂ、ドアホン子器４を接続するドアホンインタフェース３ｃ、異常検知センサ５を接続するセンサインタフェース３ｄ、増設スピーカ６を接続する増設スピーカインタフェース３ｅを備える。また、各インタフェース３ａ〜３ｅは制御部３０に接続される。制御部１０には記憶部３１が接続され、記憶部３１には音声データ、アドレスなどを格納する領域が設けられている。記憶部３１には停電時においても記憶内容を維持できるようにＥＥＰＲＯＭのような不揮発性メモリを用いる。さらに、制御部３０には、映像処理部３２ａを介して画像表示の可能な表示部３２が接続されるとともに、音声処理部３３ａを介して音声の入出力が可能な音声入出力部３３が接続される。表示部３２および音声入出力部３３の構成はセンタ装置１と同様である。制御部３０にはスイッチ群またはタッチパネルなどからなり非常ボタンを含む操作部３４も接続される。なお、図３に示すように、端末装置３には一斉放送の際にデータ伝送インタフェース３ａを通さずにデータ伝送線Ｌｒを音声処理部３３ａに直結することができるスイッチ要素３５を設けてもよい。
【００２１】
端末装置３の制御部３０は、端末装置３の内部処理を統括するとともにデータのパケット処理（パケット化およびアンパケット化）を行う主処理部３０ａと、その他の処理を行う副処理部３０ｂとを備えており、主処理部３０ａと副処理部３０ｂとにはそれぞれ異なるマイコンを用いている。副処理部３０ｂは、制御線Ｌｓを伝送される制御信号、異常検知センサ５の出力、操作部３４の操作などに対応した処理を行うものであり、制御部３０が行う処理のうち負荷の小さい処理を行う。つまり、副処理部３０ｂは主処理部３０ａに比較して消費電力が小さくなっている。
【００２２】
ドアホン子器４はテレビカメラを備えるものを想定しており、ドアホン子器４と端末装置３との間では音声信号が双方向に伝送されるとともにドアホン子器４から端末装置３に向かって映像信号が伝送される。音声信号や映像信号はアナログ信号であるから、ドアホンインタフェース３ｃを介して音声信号や映像信号を制御部３０に入力するために、ドアホンインタフェース３ｃはＡ／Ｄ変換とＤ／Ａ変換との機能を備える。同様に、制御部３０からのデータによって増設スピーカ６から音声を送出するために、増設スピーカインタフェース３ｄはＤ／Ａ変換の機能を備える。
【００２３】
ところで、センタ装置１とロビーインタホン２と端末装置３との間ではデータ伝送線Ｌｒを通してデジタル信号を伝送しているから、表示部１２，３２に映像を表示したり、音声入出力部１３，３３において音声の入出力を行うためには、Ｄ／Ａ変換ないしＡ／Ｄ変換が必要である。すなわち、映像処理部１２ａ，３２ａは制御部１０，３０からの映像データを復号化するとともにアナログ信号に変換して表示部１２，３２に出力するＤ／Ａ変換の機能を有する。また、音声処理部１３ａ，３３ａは、制御部１０，３０からの音声データを復号化するとともにアナログ信号に変換して音声入出力部１３，３３に設けたスピーカに送出するＤ／Ａ変換の機能と、音声入出力部１３，３３に設けたマイクロホンからのアナログ信号をデジタル信号に変換し符号化して制御部１０，３０に入力するＡ／Ｄ変換の機能とを有している。センタ装置１および端末装置３において映像処理部１２ａ，３２ａに入力される映像データないし音声処理部１３ａ，３３ａに入力される音声データは、データ伝送線Ｌｒを通して伝送され制御部１０，３０においてアンパケット化されたものだけではなく、記憶部１１，３１に格納されている映像データないし音声データも用いられる。
【００２４】
以下では、上述した構成による具体的動作を説明する。ここでは、異常検知センサ５が火災感知器であるものとし、いずれかの住戸に設置した火災感知器５によって火災が検知され、しかも停電が生じている状態を想定する。いま、火災感知器５により火災が検知されたとすると、端末装置３では、センサインタフェース３ｄを通して制御部３０の副処理部３０ｂに通知され、副処理部３０ｂでは火災感知器５からの入力によって火災発生の有無を判断し、火災発生と確定した後に、センタ装置１を通知先として制御信号インタフェース３ｂから制御線Ｌｓに火災発生を通知する制御信号を送出する。火災感知器５からの入力に対して火災発生を確定する処理として、火災感知器５からの火災発生を示す最初の入力に対して火災感知器５を一旦リセットし、火災発生を示す入力から所定の確定時間が経過した後、火災感知器５から火災発生を示す入力が依然として出力されているときに火災発生と確定する処理を採用している。
【００２５】
センタ装置１では制御信号インタフェース１ｂを通して端末装置３から火災発生を通知する制御信号を受信すると、記憶部１１に格納されている火災発生に対応した音声データを制御部１０において読み出し、この音声データを音声処理部１３ａに転送して音声入出力部１３から音声メッセージを送出させる。
【００２６】
本実施形態では、センタ装置１において記憶部１１から読み出した音声データを音声処理部１３ａに転送するだけではなく、制御部１０においてパケット化し、データ伝送インタフェース１ａを介してデータ伝送線Ｌｒにも音声データを送出する。データ伝送線Ｌｒに送出された音声データの通知先は、火災発生を通知してきた端末装置３であって、当該端末装置３ではデータ伝送インタフェース３ａを通して受信した音声データを主処理部３０ａにおいてアンパケット化し記憶部３１に格納する。ここで、センタ装置１から端末装置３に対して大きな音声データを一度に伝送するとアンパケット化のための負荷が大きくなり主処理部３０ａに高いスループットが要求されるから、大きな音声データは複数のパケットに分割して伝送する。この場合、記憶部３１に音声データを格納して蓄積することにより、最終的には音声データを再構築するのに必要な音声データを記憶部３１に収集することができる。センタ装置１からの一連のすべての音声データが記憶部３１に蓄積されると、副処理部３０ｂは記憶部３１に蓄積された音声データを音声処理部３３ａと、ドアホンインタフェース３ｃと、増設スピーカインタフェース３ｅとに転送し、音声入出力部３３とドアホン子器４と増設スピーカ６とから音声メッセージを送出させる。つまり、ドアホン子器４および増設スピーカは端末装置３に付設され音声メッセージを出力する音声出力手段として機能する。
【００２７】
本実施形態では、センタ装置１から端末装置３に音声データを転送する際にパケットによって伝送しているから、停電時において消費電力を低減させるためにデータ伝送線Ｌｒの伝送速度を低下させたとしても、音声データをセンタ装置１から端末装置３に転送することが可能になる。つまり、端末装置３においてアンパケット化の処理を行っている主処理部３０ａの処理速度を通常時（非停電時）よりも低下させることが可能であり、停電時においてデータ伝送線Ｌｒを使用しながらも、非停電時よりも伝送速度を低下させるとともに主処理部３０ａの処理速度を低下させることによって、消費電力を低減させることが可能であり、非常電源装置９から比較的長時間に亘って電源を供給することが可能になる。なお、主処理部３０ａの処理速度およびデータ伝送線Ｌｒの伝送速度（データ伝送インタフェース１ａ，３ａにより制御される）を低下させるタイミングは、停電が検出された時点あるいは火災感知器５の出力により火災発生が確定した時点とすればよい。
【００２８】
なお、本実施形態ではセンタ装置１と端末装置３との間は制御線Ｌｓとデータ伝送線Ｌｒとの２対の線路を用いるだけで情報の伝送が可能になっているから、一般に４対あるいは３対の線路を用いる必要があった従来の設備に比較すると省線化になっている。
【００２９】
（実施形態２）
本実施形態は、実施形態１と同様に、センタ装置１から端末装置３に対して音声データを転送するものである。ただし、実施形態１では停電時において非停電時よりも消費電力を低減するために、データ信号線Ｌｒの伝送速度を低下させるとともに主処理部３０ａの処理速度を低下させていたのに対して、本実施形態では消費電力を低減させるために、ドアホン子器４および増設スピーカ６とに対する電力供給と、主処理部３０ａに対する電力供給とを制御する点が相違する。すなわち、本実施形態では、主処理部３０ａにおいてアンパケット化の処理を行う間にはアンパケット化の処理速度を低下させないために主処理部３０ａに電力を供給し、このとき動作が不要であるドアホン子器４および増設スピーカ６に関連する部分への電力供給は停止させる。一方、アンパケット化の処理が終了して音声データが記憶部３１に格納された後には主処理部３０ａは不要になるから、主処理部３０ａへの給電を停止し、ドアホン子器４および増設スピーカ６に関連する部分への電力を行うのである。
【００３０】
さらに詳しく説明する。本実施形態では、火災感知器５により火災発生が検知されかつ停電が生じている場合に、停電発生時もしくは火災発生の確定時にまずドアホン子器４と増設スピーカ６とに関連する部分への電源供給を停止する。その後、副処理部３０が火災発生を確定すると、センタ装置１に火災発生の確定を通知し、センタ装置１からの音声データを受信する。音声データは主処理部３０ａにおいてアンパケット化され記憶部３１に格納される。記憶部３１に一連のすべての音声データが蓄積されると主処理部３０ａは不要になるから、記憶部３１に一連のすべての音声データが蓄積された時点で、主処理部３０ａへの電源供給を停止し、ドアホン子器４と増設スピーカ６とに関連する部分への電源供給を再開する。副処理部３０ｂは、記憶部３１に蓄積された音声データを、音声処理部３３ａとドアホン子器４と増設スピーカ６とに転送する。以上のようにしてドアホン子器４と増設スピーカ６と音声入出力部３３とから音声メッセージが送出される。他の構成および動作は実施形態１と同様である。
【００３１】
本実施形態の構成では、火災発生が検知されかつ停電が生じている場合でもデータ伝送線Ｌｒの伝送速度に変化がなく、センタ装置１の処理は非停電時と同様であって、端末装置３における電源の供給を制御するだけで消費電力を低減しているから、他の動作内容に影響することなく容易に実現することができる。
【００３２】
（実施形態３）
上述した各実施形態ではスイッチ要素１５，３５を用いていないが、本実施形態はスイッチ要素１５，３５を用いる例を示す。スイッチ要素１５，３５をともにオンにすれば、センタ装置１の制御部１０と端末装置３の音声処理部３３ａとはデータ伝送インタフェース１ａ，３ａを通さずにデータ伝送線Ｌｒおよび中継器７ａを通る経路で接続される。つまり、データ伝送線Ｌｒが音声処理部３３ａに対して直結された形になるから、パケットを用いずに制御部１０から音声処理部３３ａに対して音声データを直接転送することができる。その結果、同量の音声データを転送するとすれば、パケット化する場合に比較して伝送に要する時間を短縮することができる。
【００３３】
さらに詳しく説明する。本実施形態においても火災感知器５による火災発生の検知時に停電が生じているものとする。副処理部３０ｂが火災発生を確定すると、端末装置３が制御線Ｌｓを介してセンタ装置１に火災発生を通知し、このとき同時に副処理部３０ｂはスイッチ要素３５をオンにする。一方、センタ装置１では端末装置３から火災発生の確定の制御信号を受信すると、制御部１０がスイッチ要素１５をオンにする。つまり、センタ装置１の制御部１０と端末装置３の音声処理部３３ａとがスイッチ要素１５，３５およびデータ伝送線Ｌｒを通して接続される。また、記憶部１１に格納された火災発生に対応する音声データを読み出して音声処理部１３ａと端末装置３とに転送する。したがって、音声入出力部１３からは音声メッセージが送出される。また、端末装置３では音声処理部３３ａにおいて音声データを受信し、音声入出力部３３から音声メッセージを送出する。
【００３４】
上述のように、センタ装置１から端末装置３に音声データを転送する際にパケット化を行わないから、端末装置３では主処理部３０ａを動作させる必要がなく、消費電力を低減することができる。他の構成および動作は実施形態１と同様である。
【００３５】
ところで、上述の構成ではセンタ装置１の制御部１０からの音声データをパケット化せずに端末装置３の音声処理部３３ａに音声情報として直接伝送し、音声処理部３３ａにおいてＤ／Ａ変換を行っているが、センタ装置１に火災発生が通知されたときに制御部１０が記憶部１１から読み出した音声データを音声処理部１３ａでＤ／Ａ変換することにより、センタ装置１において音声データに対応するアナログ信号である音声信号を生成し、この音声信号を音声情報としてスイッチ要素１５を介してデータ伝送線Ｌｒに送出してもよい。この場合には、端末装置３の音声処理部３３ａはスイッチ要素３５を介してデータ伝送線Ｌｒから受信した音声信号をそのまま音声入出力部３３に与え、音声データに対応する音声メッセージを送出させる。
【００３６】
（実施形態４）
上述した各実施形態では、端末装置３の消費電力を低減する構成を採用しているが、本実施形態は中継器８ａ，８ｂへの電力供給を制御することによって消費電力の低減を図るものである。つまり、センタ装置１は各中継器８ａ，８ｂへの電力供給を個別に制御することが可能になっている。つまり、各中継器８ａ，８ｂにアドレスを付与してあり、センタ装置１からアドレスを指定することによって中継器８ａ，８ｂへの電力供給が制御可能になっている。
【００３７】
本実施形態では、実施形態１と同様にして端末装置３からセンタ装置１に対して制御線Ｌｓを通して火災発生の確定が通知されると、制御部１０が記憶部１１から音声データを読み出して音声処理部１３ａに与え、音声メッセージを音声入出力部１３から送出させる。また、火災発生を通知してきた端末装置３のアドレスを用いて、火災発生を通知してきた端末装置３とセンタ装置１との間の経路に挿入されている中継器８ａ，８ｂのアドレスを記憶部１１から獲得し、他の中継器８ａ，８ｂに対して動作を停止する指示を与える。このことによって、センタ装置１と端末装置３との間に挿入されている中継器８ａ，８ｂを除く中期器８ａ，８ｂへの電力供給が停止し、非常電源装置９からの供給電力を低減させることができる。
【００３８】
上述のようにして中継器８ａ，８ｂの電源供給を制御した後、センタ装置１の制御部１０では記憶部１１から読み出した音声データをパケット化し、データ伝送線Ｌｒを通して音声データを端末装置３に転送する。以後は実施形態１と同様であって、端末装置３で音声データをアンパケット化し、音声入出力部３３、ドアホン子器４、増設スピーカ６から音声メッセージを送出させる。
【００３９】
本実施形態では、必要な中継器８ａ，８ｂを除く電力供給を停止するから、システム全体としての消費電力が低減され、非常電源装置９を比較的長時間に亘って使用することが可能になる。また、中継器８ａ，８ｂへの電力停止によって得られた電力を端末装置３で利用すれば、非停電時と同様に主処理部３０ａの動作を継続することが可能であり、処理速度を低下させることなく音声メッセージの出力までの時間を実施形態１よりも短縮することが可能である。他の構成および動作は実施形態１と同様である。
【００４０】
（実施形態５）
上述した各実施形態では、火災発生が確定したときに、制御線Ｌｓを端末装置３からセンタ装置１への火災発生の通知にのみ用いていたが、本実施形態ではセンタ装置１から端末装置３に対する制御指令にも制御線Ｌｓを用いている。すなわち、本実施形態は端末装置３の制御部３０に設けた主処理部３０ａへの給電を制御することにより消費電力を低減するものであって、主処理部３０ａは火災感知器５により火災発生が検知されると動作が一旦停止され、その後、主処理部３０ａの動作が必要になったときにセンタ装置１が主処理部３０ａを起動するように指示し、主処理部３０ａの動作が不要になると主処理部３０ａを停止させるのである。
【００４１】
さらに具体的に説明する。上述した各実施形態と同様に、火災感知器５により火災発生が検知されかつ停電が生じている状態を想定する。端末装置３では火災感知器５により火災発生が通知されると副処理部３０ｂが主処理部３０ａの動作を停止させ、その後、火災発生が確定すると、センタ装置１に火災発生の確定を通知する。センタ装置１では火災発生の確定を示す制御信号を受信すると、記憶部１１から音声データを読み出して音声処理部１３ａに与え、音声入出力部１３から音声メッセージを送出させる。
【００４２】
ここで、センタ装置１の制御部１０は端末装置３の制御部３０に対して音声データを受信可能か否かを制御線Ｌｓを通して問い合わせる。端末装置３の制御部３０に設けた副処理部３０ｂはセンタ装置１から問い合わせの制御信号を受信すると、主処理部３０ａへの給電を再開して主処理部３０ａを起動させる。こうして主処理部３０ａが起動すると副処理部３０ｂはセンタ装置１に対して音声データの受信が可能である旨の通知を制御線Ｌｓを通して行う。
【００４３】
センタ装置１は端末装置３から音声データの受信が可能であることの通知を受けると、パケット化した音声データをデータ伝送線Ｌｒに送出し、端末装置３では受信した音声データをアンパケット化して記憶部３１に格納する。一連のすべての音声データが端末装置３に転送されアンパケット化が終了すると、主処理部３０ａは不要になるから、主処理部３０ａは一連のすべての音声データを記憶部３１に格納した後に動作を停止する。その後、副処理部３０ｂにおいて記憶部３１から音声データを音声処理部３３ａとドアホンインタフェース１ｃと増設スピーカインタフェース１ｅとに転送して、音声メッセージを送出させる。
【００４４】
他の構成および動作は実施形態１と同様であって、本実施形態では主処理部３０ａをアンパケット化の処理時にのみ起動しているから、端末装置３での電力消費を低減することができ、非常電源装置９から比較的長時間に亘って電力を供給することが可能になる。
【００４５】
（参考例）
上述した実施形態では、センタ装置１から端末装置３に音声データを転送しているが、センタ装置１からは音声データを転送せず、センタ装置１と端末装置３との両方に音声データを持たせることによって、センタ装置１と端末装置３との両方で音声メッセージを個別に出力することも可能である。本例では、停電によって非常電源装置９から端末装置３に電源が供給される状態になると、制御部３０では主処理部３０ａの動作を停止させ、副処理部３０ｂのみを動作させることによって消費電力を低減するようになっている。したがって、停電時には端末装置３の主処理部３０ａの動作が停止しパケット処理が行えない状態になる。
【００４６】
本例では、火災感知器５により火災が検知されたとすると、端末装置３では、センサインタフェース３ｄを通して制御部３０の副処理部３０ｂに通知され、副処理部３０ｂでは火災感知器５からの入力によって火災発生の有無を判断し、火災発生と確定した後に記憶部３１に格納されている火災感知器５に対応した音声データを読み出す。端末装置３において火災発生が確定されると、当該端末装置３では記憶部３１に格納されている火災発生に対応した音声データを読み出し、音声処理部３２ａを通して音声入出力部３２から音声メッセージを送出させる。記憶部３１から読み出された音声データに対応する音声メッセージは音声入出力部３２から送出されるだけではなく、ドアホン子器４および増設スピーカ６からも送出され、住戸Ｒ３の室内外に火災発生が音声メッセージによって通知される。さらに、副処理部３０ｂは火災発生を確定したときに記憶部３１に格納された通知先のアドレスを参照することによって通知先をセンタ装置１とし、火災発生を通知する制御信号を制御信号インタフェース３ｂから制御線Ｌｓに送出させる。
【００４７】
センタ装置１では、制御線Ｌｓを通して伝送された火災発生を通知する制御信号を制御信号インタフェース１ｂで受け取ると、制御部１０において記憶部１１に格納されている火災発生に関する音声データを読み出し、読み出した音声データを音声処理部１３ａに与えて音声入出力部１３から音声メッセージを送出させる。センタ装置１では火災発生が通知されると、一斉放送を行うなどして火災報知に対応した処理を行うのである。
【００４８】
上述の動作から明らかなように、端末装置３において火災発生を確定したときに、端末装置３からセンタ装置１には制御信号によって火災発生の通知のみを行い、センタ装置１と端末装置３とにおいてそれぞれ記憶部１１，３１から音声データを読み出し、センタ装置１と端末装置３とでそれぞれ音声メッセージを送出するから、火災発生時にはデータ伝送線Ｌｒを用いることなく低速の制御線Ｌｓを用いて火災発生を音声メッセージによって通知することが可能になる。また、本例では、停電時に端末装置３の主処理部３０ａの動作を停止させているから、停電時における消費電力を低減することができ、非常電源装置９から比較的長期間に亘って電源を供給することができる。他の構成および動作は上述した実施形態と同様である。
【００４９】
【発明の効果】
請求項１の発明は、複数の住戸にそれぞれ設置され住戸における異常を検知する異常検知センサを接続した端末装置と、端末装置とは音声データを伝送可能なデータ伝送線と制御信号を伝送可能な制御線とを介して接続されたセンタ装置と、停電時に少なくとも端末装置およびセンタ装置に給電する非常電源装置とを備え、異常検知センサによる異常発生の検知時に端末装置から制御線を介して異常発生がセンタ装置に通知され、異常発生に対応する音声データがセンタ装置から端末装置に転送され端末装置において音声データに対応する音声メッセージが送出される異常報知システムであって、センタ装置は、異常発生に対応する音声データを格納した第１の記憶部と、端末装置から異常発生が通知されると第１の記憶部から音声データを読み出しパケット化してデータ伝送線に送出させる第１の制御部とを備え、端末装置は、異常検知センサによる異常発生の検知時に制御線を通してセンタ装置に通知するともにセンタ装置からデータ伝送線を通して伝送された音声データをアンパケット化する第２の制御部と、停電時において第２の制御部においてアンパケット化された音声データを格納する第２の記憶部と、第２の記憶部に格納された一連のすべての音声データを音声メッセージに変換する音声処理部とを備えるものであり、センタ装置から端末装置に対してパケット化した音声データを転送するとともに、端末装置に設けた第２の記憶部に蓄積し、一連のすべての音声データが格納されると音声メッセージを出力するから、消費電力を低減するために、音声データの伝送速度を低減したり、パケット処理の処理速度を低下させたとしても正確な音声メッセージを端末装置から送出させることが可能である。つまり、正確な音声メッセージを端末装置から送出させることを可能としながらも消費電力の低減を図ることができ、非常電源装置から比較的長時間に亘って電力を供給することが可能になる。
【００５０】
請求項２の発明では、請求項１の発明において、停電時には、前記データ伝送線の伝送速度と前記第２の制御部の処理速度との少なくとも一方を非停電時よりも低下させるので、消費電力を低減することができる。
【００５１】
請求項３の発明では、請求項１の発明において、前記端末装置は前記第２の記憶部に格納された音声データに対応する音声メッセージを送出する音声出力手段を備え、停電時には、前記センタ装置から前記データ伝送線を通して音声データが伝送されている間に前記第２の制御部に給電するとともに音声出力手段への給電を停止し、第２の制御部によりアンパケット化された一連のすべての音声データが第２の記憶部に格納された後に第２の制御部への給電を停止するとともに音声出力手段に給電するものであり、音声出力手段と第２の制御部との一方について動作が不要である期間には給電を停止することで消費電力を低減することができる。
【００５２】
請求項４の発明では、請求項１の発明において、前記データ伝送線と前記制御線とにはそれぞれ複数台の中継器が挿入され、停電時には、前記センタ装置は前記端末装置からの異常発生の通知時に当該端末装置との間の経路に挿入されている中継器を除く中継器への給電の停止を指示するものであり、伝送に不要な中継器への給電を停止することによって消費電力が低減される。
【００５３】
請求項５の発明では、請求項１の発明において、前記第２の制御部は、前記センタ装置から前記データ伝送線を通して伝送された音声データをアンパケット化する主処理部と、前記第２の記憶部から前記音声処理部に音声データを転送するとともに主処理部への給電を制御する副処理部とを備え、停電時には、異常検知センサによる異常発生の検知時に副処理部が主処理部への給電を停止させた後、前記センタ装置が音声データを端末装置に転送する際に制御線を通してセンタ装置が主処理部への給電の再開を指示し、データ伝送線を通してセンタ装置から伝送された音声データのアンパケット化の終了後に主処理部が動作を停止するものであり、アンパケット化を行うときにのみ主処理部を動作させるから、不必要に電力が消費されず消費電力の低減につながる。
【００５４】
請求項６の発明は、複数の住戸にそれぞれ設置され住戸における異常を検知する異常検知センサを接続した端末装置と、端末装置とは音声データを伝送可能なデータ伝送線と制御信号を伝送可能な制御線とを介して接続されたセンタ装置と、停電時に少なくとも端末装置およびセンタ装置に給電する非常電源装置とを備え、異常検知センサによる異常発生の検知時に端末装置から制御線を介して異常発生がセンタ装置に通知され、異常発生に対応する音声データがセンタ装置から端末装置に転送され端末装置において音声データに対応する音声メッセージが送出される異常報知システムであって、センタ装置は、異常発生に対応する音声データを格納した記憶部と、端末装置から異常発生が通知されると記憶部から音声データを読み出す第１の制御部と、端末装置から異常発生が通知されると音声データに対応した音声情報を第１の制御部からデータ伝送線に送出させる経路を形成する第１のスイッチ要素とを備え、端末装置は、異常検知センサによる異常発生の検知時に制御線を通してセンタ装置に通知する第２の制御部と、センタ装置からデータ伝送線を通して伝送された音声情報により音声メッセージを出力させる音声処理部と、異常検知センサによる異常発生の検知時にデータ伝送線を音声処理部に直結する経路を形成する第２のスイッチ要素とを備えるものであり、センタ装置から端末装置への音声データの伝送時にパケット処理を行わないから電力消費を低減することが可能になる。
【図面の簡単な説明】
【図１】本発明の実施形態を示す概略構成図である。
【図２】同上に用いるセンタ装置を示すブロック図である。
【図３】同上に用いる端末装置を示すブロック図である。
【図４】従来例を示す概略構成図である。
【符号の説明】
１  センタ装置
３  端末装置
４  ドアホン子器
５  異常検知センサ
６  増設スピーカ
８ａ，８ｂ  中継器
９  非常電源装置
１０  制御部
１１  記憶部
１５  スイッチ要素
３０  制御部
３０ａ  主処理部
３０ｂ  副処理部
３１  記憶部
３３ａ  音声処理部
３５  スイッチ要素
Ｌｒ  データ伝送線
Ｌｓ  制御線
Ｒ３  住戸
【図１】
2004185151.tif 000003
【図２】
2004185151.tif 000004
【図３】
2004185151.tif 000005
【図４】
2004185151.tif 000006